(57)【要約】【課題】操作アーム先端部の移動範囲が一定に抑えられていても、可動片の先端部の開き角をより大きくすることができる。【解決手段】  基端部が回動自在に支持された可動片４Ｂと、可動片４Ｂの回動面に対して交差する方向から延びて、その先端部３４が回動面内で往復移動させられる操作アーム３とを具備する。操作アーム３の先端部３４が原位置Ｐ１から一方向へ一定範囲Ｄで移動させられる途中で可動片４Ａ，４Ｂの当接面に当接して当該可動片４Ａ，４Ｂを開放方向へ回動させる。先端部３４に、上記一方向へ向けて一定量Ｓだけ突出する突出部３５を形成する。【選択図】        図１
2005312719.tif 000002
【特許請求の範囲】
【請求項１】
基端部が回動自在に支持された可動片と、可動片の回動面に対して交差する方向から延びて、その先端部が前記回動面内で往復移動させられる操作アームとを具備し、前記操作アームの先端部が原位置から一方向へ一定範囲で移動させられる途中で前記可動片の当接面に当接して当該可動片を開放方向へ回動させるようにした遊技機の入賞球受口器において、前記先端部に、前記一方向へ向けて前記一定量だけ突出する突出部を形成したことを特徴とする遊技機の入賞球受口器。
【請求項２】
前記突出部を、前記先端部を前記一方向へ折り曲げることにより形成した請求項１に記載の遊技機の入賞球受口器。
【請求項３】
前記突出部の突出端を、前記当接面に対して点接触で当接するような曲面形状とした請求項１又は２に記載の遊技機の入賞球受口器。  
【請求項４】
前記突出部の少なくとも前記突出端を樹脂層で構成した請求項１ないし３のいずれかに記載の遊技機の入賞球受口器。
【請求項５】
前記可動片が一対設けられるとともに、同一駆動源によって往復移動させられる前記操作アームが前記各可動片に対してそれぞれ設けられ、一方の前記操作アーム先端が一方の前記可動片の当接面に当接するタイミングと、他方の前記操作アーム先端が他方の前記可動片の当接面に当接するタイミングとが互いにずれるように前記各操作アームの形状を成形した請求項１ないし４のいずれかに記載の遊技機の入賞球受口器。
【発明の詳細な説明】
【技術分野】
【０００１】
本発明は、パチンコ遊技機、アレンジボール遊技機等の遊技機の入賞球受口器に関し、特に、開放および閉鎖動作を行う可動片を備えた入賞球受口器に関する。
【背景技術】
【０００２】
図８に入賞球受口器の一例を示す。図８において、入賞球受口器１´のハウジング１１には上半部内に電磁ソレノイド２が収納されており、その下方には、先端部３４が前下がりの傾斜姿勢で操作アーム３が配設されている。操作アーム３は基端部３１が図略の構造によって上下方向へ回動可能にハウジング１１に係止されており、付設された板バネ３２によって下方へ回動付勢されている。ハウジング１１の前面に装着された断面Ｌ字形のカバー板１２の内空間には、図８の手前側と向こう側（図８は向こう側のもののみを示す）に一対の翼状可動片４Ａ，４Ｂが設けられている。左右の可動片４Ａ，４Ｂを後面側から見たものを図９に示す。図９は可動片４Ａ，４Ｂが閉鎖された状態のもので、各可動片４Ａ，４Ｂは対称形に配されて直立している。各可動片４Ａ，４Ｂは基端部が、カバー板１２とハウジング１１前壁の間に架設された軸体４１（図８）によって回転可能に支持されている。各可動片４Ａ，４Ｂの下端部には下方へ開放する係合凹所４２が形成されており、各係合凹所４２内に、操作アーム３の、途中で下方へ湾曲し二股に分かれた各操作片３３（図８に一方のみ示す）の先端部３４が位置している。
【０００３】
可動片４Ａ，４Ｂを開放する場合には電磁ソレノイド２に通電して金属製の上記操作アーム３を吸引し、各操作片３３の先端部３４を、図８に示す、下方移動端でかつ可動片４Ａ，４Ｂの開放方向への回動を規制する位置である原位置Ｐ１から上昇端Ｐ３へ回動させて、図８の鎖線で示すように操作アーム３を水平姿勢にする（以下、このような構造をフラッパ式ソレノイドという）。上方へ回動する過程で操作アーム３の先端部３４が係合凹所４２の当接面たる内面４２ａに当接して、各可動片４Ａ，４Ｂを互いに外方へ回動傾倒させ（図１０）、開放状態とする。
【特許文献１】特開平５−１８４７１５
【発明の開示】
【発明が解決しようとする課題】
【０００４】
ところで、操作アーム３が傾斜姿勢から電磁ソレノイド２に吸引されて水平姿勢になるまでのアーム先端部３４の原位置Ｐ１から上昇端Ｐ３までの移動範囲Ｄは、電磁ソレノイド２の吸引力との関係で一定に制限されている。一方、可動片の高さを低く抑えたコンパクトな入賞球受口器において、可動片の開放径を、高さの高い可動片の開放径と同程度にしたいという要請があり、これには開放時の可動片４Ａ，４Ｂの垂線からの開き角Ｘ（図１０）をより大きくする必要がある。
【０００５】
そこで、本発明はこのような課題に鑑みたもので、操作アーム先端部の移動範囲が一定に抑えられていても、可動片の先端部の開き角をより大きくすることができる遊技機の入賞球受口器を提供することを目的とする。
【課題を解決するための手段】
【０００６】
上記目的を達成するために、本第１発明では、基端部が回動自在に支持された可動片（４Ａ，４Ｂ）と、可動片（４Ａ，４Ｂ）の回動面に対して交差する方向から延びて、その先端部（３４）が回動面内で往復移動させられる操作アーム（３）とを具備し、操作アーム（３）の先端部（３４）が原位置（Ｐ１）から一方向へ一定範囲（Ｄ）で移動させられる途中で可動片（４Ａ，４Ｂ）の当接面（４２ａ）に当接して当該可動片（４Ａ，４Ｂ）を開放方向へ回動させるようにした遊技機の入賞球受口器において、上記先端部（３４）に、上記一方向へ向けて一定量（Ｓ）だけ突出する突出部（３５）を形成する。
【０００７】
本第１発明においては、操作アームの先端部に、一方向へ向けて一定量だけ突出する突出部を形成したから、上記操作アーム先端部の移動終点は、原位置に対して上記一定範囲に上記一定量を足したものとなる。この結果、可動片は従来よりも大きく開放方向へ回動させられ、その開き角が十分大きくなる。このような構成により、アーム先端部の移動範囲を、簡単な構造で、一定範囲を保って原位置から一方向へ一定量ずらすことができる。
【０００８】
本第２発明では、上記突出部（３５）を、上記先端部（３４）を上記一方向へ折り曲げることにより形成する。本第２発明では、突出部を簡易に形成することができる。
【０００９】
本第３発明では、上記突出部（３５）の突出端（３５１）を、上記当接面（４２ａ）に対して点接触で当接するような曲面形状とする。本第３発明においては、突出端が当接面に当接する際にこれと点接触するから、当接時の摩擦が小さくなり、吸引力が弱いフラッパ式ソレノイドによっても円滑に操作アームを作動させることができる。
【００１０】
本第４発明では、前記突出部（３５）の少なくとも突出端（３５１）を樹脂層（３６）で構成する。本第４発明においては、突出端が当接面に当接する際の摩擦をさらに小さく抑えることができる。
【００１１】
本第５発明では、上記可動片（４Ａ，４Ｂ）が一対設けられるとともに、同一駆動源（２）によって往復移動させられる操作アーム（３３）が各可動片（４Ａ，４Ｂ）に対してそれぞれ設けられ、一方の操作アーム先端部（３４）が一方の可動片（４Ａ）の当接面（４２ａ）に当接するタイミングと、他方の操作アーム先端部（３４）が他方の可動片（４Ｂ）の当接面（４２ａ）に当接するタイミングとが互いにずれるように各操作アーム（３３）の形状を成形する。本第５発明においては、各操作アームの先端部が可動片の当接面に当接するタイミングをずらすことができるから、当接時の負荷の急変を抑えることができ、吸引力が弱いフラッパ式ソレノイドによっても円滑に操作アームを作動させることができる。
【００１２】
なお、上記カッコ内の符号は、後述する実施形態に記載の具体的手段との対応関係を示すものである。
【発明の効果】
【００１３】
以上のように、本発明の遊技機の入賞球受口器によれば、操作アーム先端部の移動範囲が一定に抑えられていても、可動片の先端部の開き角をより大きくすることができる。
【発明を実施するための最良の形態】
【００１４】
（第１実施形態）
図１には入賞球受口器１の垂直断面図を示す。入賞球受口器１の基本構造は既に説明した従来例と同一であり、同一部分には同一符号を付す。以下は相違点を中心に説明する。図１において、電磁ソレノイド２の下方を前方へ傾斜して延びる操作アーム３の操作片先端部３４は図２に示すようにこれを略直角に上方へ折り曲げて一定量突出する突出部３５としてあり、その突出端３５１は上方へ膨出する曲面としてある。このような突出部３５を形成したことにより、図１に示すように、アーム先端部３４（すなわち上記突出部３５）の移動始点Ｐ４は従来の原位置Ｐ１から上方へ一定量Ｓだけずらされる。そして、この移動始点Ｐ４から電磁ソレノイド２に吸引されて操作アーム３が水平姿勢となるまでの移動範囲は従来と同様のＤであるから、結局、上記突出端３５１の移動終点Ｐ５は従来の上昇端Ｐ３よりもおよそＳだけ上方になる。なお、電磁ソレノイド２の吸引力を十分作用させるために、軸体４１の中心を通る水平線ｌ（図３）と垂直線ｍに対して、突出部３５の移動始点Ｐ４、および突出部３４が係合凹所内面４２ａに当接し始める位置Ｐ６は、角度α，β，γの関係を満足するように決定されており、α＝４０°〜７０°、β＝２０°〜３０°、γ＝０°〜２０°である。
【００１５】
このような構造で、可動片４Ａ，４Ｂを開放する場合には、電磁ソレノイド２に通電して操作アーム３を吸引しこれを上方へ回動させる。この回動途中でアーム突出端３５１が係合凹所４２の内面４２ａに当接して（図３）、各可動片４Ａ，４Ｂを互いに外方へ回動傾倒させて開放状態とする。上記突出端３５１の上昇端Ｐ５は先に説明したように従来よりもＳだけ上方にあるから、可動片４Ａ，４Ｂは従来よりも大きく外方へ傾倒させられ、垂線に対するその開き角Ｙ（図４）は従来の開き角Ｘ（図９）に比して十分大きくなる。なお、突出端３５１は既述のように上方へ膨出する曲面としてあるから係合凹所４２の内面４２ａに当接するに際してこれと点接触する。これにより、突出端３５１が上記内面４２ａに当接する際の摩擦が小さくなるとともにその変動が抑えられる。したがって、一般的に吸引力が弱いフラッパ式ソレノイドによっても円滑に操作アーム３を作動させることができる。
【００１６】
この場合、図５に示すように、操作アーム３の突出部３５表面を樹脂層３６で被覆すると、係合凹所内面４２ａとの当接時の摩擦をさらに小さく抑えることができ、さらに円滑に操作アームを作動させることができる。なお、上記樹脂層３６は少なくとも突出端３５１を覆うものであれば良い。
【００１７】
（第２実施形態）
図１における操作アーム３の操作片３３の傾斜角度を調整して図６に示すように、左右のアーム先端部３４の原位置を上下方向へｄだけずらしておく。これにより、可動片４Ａ，４Ｂ開放時に、左右の操作片３３の突出端３５１が可動片４Ａ，４Ｂの係合凹所内面４２ａに当接するタイミングを互いにずらすことができるから、両突出端３５１が同時に係合凹所内面４２ａに当接する場合に比して当接時の負荷の急変を抑えることができ、円滑な操作アームの作動を実現することができる。また、可動片４Ａ，４Ｂを閉鎖する際の、係合凹所内面（開放時とは異なる）４２ａへの当接のタイミングをずらすこともできるから、可動片４Ａ，４Ｂを閉鎖起立させるときの負荷の急変を抑えることもでき、円滑な操作アーム３の作動を実現することができる。また、可動片４Ａ，４Ｂが閉鎖されるタイミングがずれることで、可動片４Ａ，４Ｂに乗った複数の遊技球による球噛みを生じることがなくなる。
【００１８】
（第３実施形態）
上記各実施形態において、突出部３５は必ずしも操作アーム３の先端部３４を折り曲げて形成する必要はなく、例えば図７に示すように上記先端部３４の平面上に樹脂ブロック３７を接合して突出部とする等によっても良い。
【００１９】
（その他の実施形態）
なお、突出部は操作アーム３の先端部３４の平面上に金属ブロックを接合して形成しても良い。
【図面の簡単な説明】
【００２０】
【図１】本発明の第１実施形態を示す、入賞球受口器の垂直断面図である。
【図２】操作アームの操作片先端部の斜視図である。
【図３】閉鎖状態の可動片の背面図である。
【図４】開放状態の可動片の背面図である。
【図５】本発明の他の例を示す、操作アームの操作片先端部の斜視図である。
【図６】本発明の第２実施形態を示す、閉鎖状態の可動片の背面図である。
【図７】本発明の第３実施形態における操作アームの操作片先端部の斜視図である。
【図８】従来例を示す入賞球受口器の垂直断面図である。
【図９】従来例を示す閉鎖状態の可動片の背面図である。
【図１０】従来例を示す開放状態の可動片の背面図である。
【符号の説明】
【００２１】
１…入賞球受口器、２…電磁ソレノイド、３…操作アーム、３３…操作アーム、３４…先端部、３５…突出部、３５１…突出端、４Ａ，４Ｂ…可動片、４２ａ…係合凹所内面、Ｄ…一定範囲、Ｐ１…原位置、Ｓ…一定量。
【図１】
2005312719.tif 000003
【図２】
2005312719.tif 000004
【図３】
2005312719.tif 000005
【図４】
2005312719.tif 000006
【図５】
2005312719.tif 000007
【図６】
2005312719.tif 000008
【図７】
2005312719.tif 000009
【図８】
2005312719.tif 000010
【図９】
2005312719.tif 000011
【図１０】
2005312719.tif 000012